(57)【要約】【課題】立体表示可能なものであるか、どうかを簡単に識別できる情報機器を提供する。【解決手段】電源投入手段と、立体画像を表示可能な表示手段を備え、前記電源投入手段により、電源投入時に前記表示手段により立体画像を表示することを特徴とする立体画像の表示機能を備える情報機器。【選択図】　図４
2004037892.tif 000002
【特許請求の範囲】
【請求項１】
電源投入手段と、立体画像を表示可能な表示手段を備え、前記電源投入手段により、電源投入時に前記表示手段により立体画像を表示することを特徴とする立体画像の表示機能を備える情報機器。
【請求項２】
表示する画像を記憶する記憶手段と、該記憶手段から任意画像を選択する手段を備え、選択された画像を前記表示手段に表示することを特徴とする請求項１に記載の立体画像の表示機能を備える情報機器。
【請求項３】
電源投入手段と、平面画像と立体画像を切替えて表示する手段を備え、前記電源投入手段により、電源投入時に前記表示手段により立体画像を表示することを特徴とする立体画像の表示機能を備える情報機器。
【請求項４】
機器の開閉を検出する開閉検出手段と、立体画像を表示可能な表示手段を備え、前記開閉検出手段により、機器が閉から開になったことを検出すると、前記表示手段により立体画像を表示することを特徴とする立体画像の表示機能を備える情報機器。
【発明の詳細な説明】
【０００１】
【発明の属する技術分野】
本発明は、立体表示機能を備える情報機器に関するものである。
【０００２】
【従来の技術】
近年、情報機器は小型化、高機能化が進んでいる。例えば、携帯電話機では、画面が大型化し、大量の文字情報や画像を表示出来るようになっている。
【０００３】
特開平１０−１０８１５２公報には、ＣＣＤカメラを２個備え、立体画像を表示可能にする装置が示されている。すなわち、情報機器において表示画面が大型化し、多くの情報を表示出来るようになると共に、カラー化により画像の表示においても充分実用になるに従い、単なる文字の表示だけでなく、上記のような立体画像を活用した表示内容が要望されている。
【０００４】
【発明が解決しようとする課題】
しかしながら，通常情報機器の外観からは、該情報機器が立体表示可能かどうかは容易に判別がつきにくく、所望の立体画像を情報機器に表示して初めて認識でき、手間がかかるものであった。本発明は、情報機器の電源ＯＮ時に立体画像表示することにより、立体表示機能を有することを容易に認識出来るようにするものである。
【０００５】
【課題を解決するための手段】
本発明は、電源投入手段と、立体画像を表示可能な表示手段を備え、前記電源投入手段により、電源投入時に前記表示手段により立体画像を表示することを特徴とする立体画像の表示機能を備える情報機器を提供するものである。
【０００６】
かかる機器において、電源ＯＦＦ状態から電源ＯＮすると、立体画像を表示させるようにすることにより、容易に立体画像表示機能を有していることが識別できる。また、立体画面の表示視認の眼慣らしになり有用である。
【０００７】
【発明の実施の形態】
本発明の実施形態について、図１から図５に基づいて説明する。本発明は、任意の情報機器に適用できるが、以下では、好適な実施形態として、折り畳み可能なカメラ付き携帯電話機について説明する。
【０００８】
図１は、本実施形態に係る携帯電話機の要部構成を示すブロック図であり、図示しない基地局と通信する通信制御部１０１と、マイク１０２からの音声信号を符号化すると共に、通話相手の音声信号を復号する音声信号処理部１０３と、復号した音声信号を再生するスピーカ１０４と、プログラムを実行して携帯電話機全体を制御するプロセッサ１０５と、プロセッサ１０５により制御されるメモリ１０６と、ユーザの入力を受け付けるキー操作部１０７と、ＣＣＤカメラ等の一般的な平面画像撮影用のカメラモジュール１０８と、メイン画面用のカラー液晶モジュール１０９と、サブ画面用のカラー液晶モジュール１１０とが設けられている。キー操作部１０７は、操作キー２０２と背面キー２０３に分かれている。
【０００９】
メモリー１０６には、携帯電話の制御に必要な情報と共に、画像情報も記憶されており、平面画像と立体画像も記憶されている。そしていずれかの画像情報を表示するときには、携帯電話機全体を制御するプロセッサー１０５により、選択された画像情報が平面表示か立体表示かを判別し、最適な画像表示を行う。
【００１０】
図２（Ａ）は、折り畳み可能な携帯電話機２０１を開いた状態での内側（キー面）から見た外観を示しており、図２（Ｂ）は閉じた状態での外側（背面）から見た外観を示している。
【００１１】
図２に示すように、スピーカ１０４は、携帯電話機の蓋部内側の上方中央に、マイク１０２は、本体部内側の下方中央にそれぞれ配されている。
【００１２】
また、テンキーや十字キー等からなる操作キー２０２は、電源投入するための電源キー２０４と、蓋部が開状態か、閉状態かを検出するスイッチである開閉検出ＳＷ２０５を含んでいる。
【００１３】
液晶モジュール（メイン画面）１０９は四角い形状で蓋部内側に配されており、液晶モジュール（サブ画面）１１０は四角い形状で蓋部外側の中央付近に配されている。さらに、カメラモジュール１０８は、蓋部外側のヒンジ近くの中央付近に配され、閉じた状態でも液晶モジュール（サブ画面）１１０で被写体を確認しながら撮影ができる。また、背面キー２０３は、液晶モジュール（サブ画面）１１０の下方に配され、閉じた状態でシャッタキーとして使用できる。開いた状態で撮影する場合は、液晶モジュール（メイン画面）１０９あるいは液晶モジュール（サブ画面）１１０で被写体を確認しながら、操作キー２０２のいずれかのキーをシャッタキーとして利用して撮影する。
【００１４】
液晶モジュール（メイン画面）１０９は立体表示可能な液晶モジュールで構成されている。
【００１５】
図３は、特別なメガネを必要としないで、立体表示可能な液晶モジュール（メイン画面）１０９の液晶ディスプレイの要部構成の平面断面図を示しており、バックライト３０１と、平面画面と立体画面の切替用液晶デバイス３０２と、スリット状にパターン化した位相差板３０３と、表示用ＴＦＴ液晶デバイス３０４とが設けられている。
【００１６】
立体画像を表示させる場合は、切替用液晶デバイス３０２と、パターン化位相差板３０３による位相変化により、表示用ＴＦＴ液晶デバイス３０４の左目用画像がＬ画素３０６（図中において白画素で表示）を通過して右目に投影されないように遮断する（破線３０９）。右目用画像についても同様に、表示用ＴＦＴ液晶デバイス３０４の右目用画像がＲ画素３０５（図中において黒画素で表示）を通過して左目に投影されないように遮断する（破線３１０）。
【００１７】
このように、観察者の右目には右目用画像だけが映し出され、また、左目には左目用画像だけが映し出されるため、観察者の右目と左目に異なる映像が与えられ、その結果、観察者は奥行き感のある立体画像を認識できる。
【００１８】
また、平面画像を表示させる場合は、切替用液晶デバイス３０２を電気的に制御して偏光状態を変化させることにより、パターン化位相差板３０３による光の遮断をしないようにする。このように、切替用液晶デバイス３０２の光学特性を制御することにより平面画像と立体画像とを切り替えて表示することができる。
【００１９】
なお、本発明では、上記構成の液晶ディスプレイを用いているが、両眼視差を利用して立体表示可能な表示デバイスであれば、レンチキュラレンズを用いた構成など他の構成でも構わない。以上では、平面画像と立体画像を切替えて表示するようにしているが、発明の一実施形態においては、立体画像のみ表示可能なものであってもよい。
【００２０】
図４は、液晶モジュール（メイン画面）１０９における表示例を示すものである。電源ＯＦＦ状態４０１から、電源キー２０４が長押しされると、液晶モジュール（メイン表示）１０９において、所定の時間、液晶モジュール（メイン画面）１０９に、数段階に分けて表示が大きくなって行く起動立体画面４０２−−−４０３の表示を行った後、待ち受け画面４０４になる。起動画面４０２−−−４０３の立体画面は、所定の時間、表示を続けるので、容易に立体画像表示機能を有していることが判別でき、また特別なメガネを必要としない立体表示機器では、立体画像表示を認識するには、右目と左目を適切な位置で見る必要があり、前記の、電源ＯＮ時に立体画像を表示することにより、立体画像をみる適切な位置を眼慣らしすることが出来る。
【００２１】
起動画面４０２−−−４０３は、あらかじめメモリー１０６に数段階に分けて記憶しておき、各段階毎に順次読み出しを行い表示する。一段階ごとに決められた表示時間だけ表示をすると、次の段階の画面を呼び出して、所定時間だけ表示するという動作を設定した段階分だけ行うことにより、実現できる。また、該起動画面はあらかじめ表示画面設定しておくことにより、初期設定時等に、どの画面を表示させるかを選択することができる。なお、本実施の形態では、平面画像と立体画像の切替表示が可能であるので、ユーザーによって、平面画像をメモリー１０６に記憶させ、平面画像を選択し、表示するようにしてもよい。
【００２２】
また待受け画面４０４の状態で、立体画面と平面画面を交互に表示を切替えるようにしてもよい。すなわち図４の待受け画面４０４の状態で、電源キー２０４が短押しされると、立体画面４０５の表示になる。立体画面４０５は、携帯電話２０１のメモリー１０６にあらかじめ記憶させておく複数の画面から、あらかじめ設定しておくことにより、任意の画面を表示させることが出来る。また、立体画面４０５の状態で、電源キー２０４が短押しされると、平面画面４０４を表示する。平面画面４０４は、携帯電話２０１のメモリー１０６にあらかじめ記憶させておく複数の画面から、あらかじめ設定しておくことにより、任意の画面を表示させることが出来る。また本実施の形態のように、折り畳み式携帯電話２０１で、蓋部が閉から開になったことを検出するＳＷ２０５を有する場合は、かかるＳＷ２０５の動作を検出して、立体画面４０５を表示しても良い。これら立体画面表示により、随時，本情報機器が立体表示機能を有するものであることを確認できる。
【００２３】
特に折り畳み式携帯電話２０１で、蓋部が閉から開になったことを検出するＳＷ２０５を有する場合において、蓋部を開にする時、図４の起動画面４０２−−−４０３と同様の起動画面を表示するようにすると、眼慣らしにも役立つ。
【００２４】
図５は、電源ＯＦＦ状態から起動をする方法およびその後の動作を説明するフローチャートである。電源ＯＦＦ状態（ステップ５０１）から電源キー２０４を一定時間以上長く押されたかを（ステップ５０２）で判断する。電源キー２０４が長く押されていると起動と判断し、（ステップ５０３）で示すように、あらかじめ設定された起動画面を表示するとともに、携帯電話２０１を使用可能な状態に設定する。起動画面で、あらかじめ立体画面を表示するように設定しておけば起動時に好みの画面を見ることが出来る。起動画面は立体画面だけとは限らず設定により平面画面を表示することも出来る。図５は、起動画面（ステップ５０３）が立体画面表示の場合を示しており、起動画面が終了すると、通常の待ち受け画面（ステップ５０４）を表示する。図５には示していないが、起動画面が、平面画面の場合も、起動画面が終了すると、待ち受け画面（スッテプ５０４）を表示する。
【００２５】
待受け画面（ステップ５０４）で、キーが押されるとそれが電源キー２０４を短押しした場合（ステップ５０５）は、立体画面（ステップ５０６）を表示し、好みの立体画像を表示することができる。その状態で、再度電源キー２０４を短押し（ステップ５０７）すると、平面画面（ステップ５０８）を表示する。このように、電源キー２０４の短押しで、立体画面と平面画像をくり返し表示する。
【００２６】
待受け画面（ステップ５０４）で押されたキーが電源キー２０４の短押しでない場合、電源キー２０４の長押し（ステップ５０９）であれば、電源をＯＦＦ処理（ステップ５１０）し、電源ＯＦＦ状態（ステップ５０１）に戻る。
【００２７】
電源キー２０４長押しでもない場合は、押された各キーの処理（ステップ５１１）を行い、待受け画面（ステップ５０４）に戻る。このように電源キー２０４の短押しで、立体画面表示と平面画面表示を交互に切替え表示する。
【００２８】
図５には示していないが、電源ＯＦＦ（ステップ５１０）時に表示する画面を立体表示してもよい。それにより、電源ＯＮ時と違った立体画像が楽しめる。
【００２９】
以上の実施例は、携帯電話２０１で説明したが、携帯電話に限らず情報機器でも同様の効果を得ることができる。
【００３０】
【発明の効果】
本発明によれば、情報機器が、立体画像を表示できる機能を有しているか否かが定かでは無い場合、情報機器を使用する時に、電源ＯＦＦ状態から、電源をＯＮすると、立体画像を表示することにより、容易に立体画像表示機能を有していることが判別でき、また特別なメガネを必要としない立体表示機器では、立体画像表示を認識するには、右目と左目を適切な位置で見る必要があり、前記の、電源ＯＮ時に立体画像を表示することにより、立体画像をみる適切な位置を眼慣らしすることが出来る。
【図面の簡単な説明】
【図１】本発明の実施形態を示すものであり、携帯電話機の要部構成を示すブロック図である。
【図２】折り畳み可能な携帯電話機を開いた状態でのキー面を示す正面図（Ａ）と閉じた状態での背面を示す正面図（Ｂ）である。
【図３】立体表示可能な液晶ディスプレイの要部構成を示す断面図である。
【図４】表示例を示す。
【図５】動作を示すフローチャートである。
【符号の説明】
１０１　通信制御部
１０５　プロセッサ
１０６　メモリー
１０７　キー操作部
１０９　メイン画面
２０２　操作キー
２０４　電源キー
２０５　開閉検出ＳＷ
【図１】
2004037892.tif 000003
【図２】
2004037892.tif 000004
【図３】
2004037892.tif 000005
【図４】
2004037892.tif 000006
【図５】
2004037892.tif 000007